(57)【要約】【課題】直立姿勢で安定させやすく、かつ台座部を備えていても横置き可能な扇風機を提供すること。【解決手段】筒状の送風部４を有する本体２と、この本体２を支持する台座部３を有する扇風機１において、横置時に設置面Ｆと当接する設置部１０を前記本体２に備え、前記設置部１０が、前記本体２の中心軸線Ｘ方向一端側である頭部７に設けられた第一設置部１１と、前記本体２の中心軸線Ｘ方向他端側である底部８に設けられた第二設置部１２とを備えると共に、前記第一設置部１１から中心軸線Ｘまでの距離Ｌ１と前記第二設置部１２から中心軸線Ｘまでの距離Ｌ２とを等しく、横置時に前記台座部３の下端となる位置から前記中心軸線Ｘまでの距離Ｌ３を、Ｌ１及びＬ２以下としたことで、前記台座部３を本体２に装着した状態でも、前記扇風機１を横置き姿勢に設置することができる。【選択図】図４
2014211115.tif 000002
【特許請求の範囲】
【請求項１】
筒状の送風部を有する本体と、この本体を支持する台座部を有する扇風機において、
横置時に設置面と当接する設置部を前記本体に備え、前記設置部が、前記本体の中心軸線方向一端側に設けられた第一設置部と、前記本体の中心軸線方向他端側に設けられた第二設置部とを備えると共に、前記第一設置部から中心軸線までの距離Ｌ１と前記第二設置部から中心軸線までの距離Ｌ２とが等しく、横置時に前記台座部の下端となる位置から前記中心軸線までの距離Ｌ３が、Ｌ１及びＬ２以下であることを特徴とする扇風機。
【請求項２】
前記台座部に切欠部を形成すると共に、この切欠部を、横置時に下端となる位置としたことを特徴とする請求項１に記載の扇風機。
【請求項３】
筒状の送風部を有する本体と、この本体を支持する台座部を有する扇風機において、
前記本体の中心軸線方向一端側に、横置時に設置面と当接する本体側設置部を設け、前記台座部に台座部側設置部を設けると共に、前記本体側設置部から中心軸線までの距離Ｌ４と前記台座部側設置部から中心軸線までの距離Ｌ５とを等しくしたことを特徴とする扇風機。
【請求項４】
前記台座部に切欠部を形成すると共に、この切欠部を台座部側設置部としたことを特徴とする請求項３に記載の扇風機。
【発明の詳細な説明】
【技術分野】
【０００１】
本発明は、横置き可能なタワー型の扇風機に関するものである。
【背景技術】
【０００２】
従来、この種の扇風機としては、円筒形状の扇風機本体（本願発明の本体に相当する）と、この扇風機本体の下端に設けられた円盤状の台座部を備えたものが知られている（例えば、特許文献１参照。）
【先行技術文献】
【特許文献】
【０００３】
【特許文献１】特開２０１１−１３７４２０号公報
【発明の概要】
【発明が解決しようとする課題】
【０００４】
このようなタワー型の扇風機は、扇風機を直立姿勢で安定させるために、前述したように、本体の下端に台座部を設けるものが一般的である。また、近年はこのような扇風機を横置き可能としたものも存在する。しかし、このようなタワー型の扇風機を横置きにする場合、台座部があると本体を水平姿勢に設置しづらく、台座部が邪魔になってしまうという問題があった。従って、従来の横置き可能なタワー型の扇風機は、台座部を設けない。しかしながら、台座部を設けないタワー型の扇風機は、床等の設置面と当接する面積が狭いため、縦置きにした場合に不安定になりやすく、転倒しやすいという問題があった。
【０００５】
本発明は以上の問題点を解決し、直立姿勢で安定させることができ、かつ本体を水平姿勢にすることができる扇風機を提供することを目的とする。
【課題を解決するための手段】
【０００６】
本発明の請求項１に記載の扇風機は、筒状の送風部を有する本体と、この本体を支持する台座部を有する扇風機において、横置時に設置面と当接する設置部を前記本体に備え、前記設置部が、前記本体の中心軸線方向一端側に設けられた第一設置部と、前記本体の中心軸線方向他端側に設けられた第二設置部とを備えると共に、前記第一設置部から中心軸線までの距離Ｌ１と前記第二設置部から中心軸線までの距離Ｌ２とが等しく、横置時に前記台座部の下端となる位置から前記中心軸線までの距離Ｌ３が、Ｌ１及びＬ２以下であることを特徴とするものである。
【０００７】
また、本発明の請求項２に記載の扇風機は、請求項１において、前記台座部に切欠部を形成すると共に、この切欠部を、横置時に下端となる位置としたことを特徴とするものである。
【０００８】
また、本発明の請求項３に記載の扇風機は、筒状の送風部を有する本体と、この本体を支持する台座部を有する扇風機において、
前記本体の中心軸線方向一端側に、横置時に設置面と当接する本体側設置部を設け、前記台座部に台座部側設置部を設けると共に、前記本体側設置部から中心軸線までの距離Ｌ４と前記台座部側設置部から中心軸線までの距離Ｌ５とを等しくしたことを特徴とするものである。
【０００９】
更に、本発明の請求項４に記載の扇風機は、請求項３において、前記台座部に切欠部を形成すると共に、この切欠部を台座部側設置部としたことを特徴とするものである。
【発明の効果】
【００１０】
本発明の請求項１に記載の扇風機は、以上のように構成することにより、前記台座部によって安定して縦置きにすることができるばかりでなく、前記台座部があったとしても、第一及び第二設置部によって、横置きすることができる。
【００１１】
なお、前記台座部に切欠部を形成すると共に、この切欠部を、横置時に下端となる位置としたことで、横置時に前記台座部が邪魔にならないようにできるばかりでなく、前記台座部の面積を大きくすることができるので、縦置時に安定して設置することができる。
【００１２】
また、本発明の請求項３に記載の扇風機は、以上のように構成することにより、前記台座部によって安定して縦置きにすることができるばかりでなく、本体側設置部と台座側設置部によって、横置きすることができる。
【００１３】
なお、前記台座部に切欠部を形成すると共に、この切欠部を台座部側設置部としたことで、横置時に前記台座部が邪魔にならないようにできるばかりでなく、前記台座部の面積を大きくすることができるので、縦置時に安定して設置することができる。
【図面の簡単な説明】
【００１４】
【図１】本発明の第一の実施形態を示す扇風機の正面図である。
【図２】同、側面図である。
【図３】同、平面図（ａ）と底面図（ｂ）である。
【図４】同、横置きにした状態の側面図である。
【図５】本発明の第二の実施形態を示す扇風機の側面図である。
【図６】同、平面図（ａ）と底面図（ｂ）である。
【図７】同、横置きにした状態の側面図である。
【図８】本発明の扇風機の台座部の第一の変形例を示す底面図である。
【図９】同、本発明の扇風機の台座部の第二の変形例を示す底面図である。
【発明を実施するための形態】
【００１５】
以下、本発明の第一の実施形態について、図１乃至図４に基づいて説明する。１は本発明のタワー型の扇風機である。この扇風機１は、本体２と、この本体２を支持する台座部３とで構成される。前記本体２は、円筒状の送風部４と、この送風部４を中心軸線Ｘ回りに揺動可能に支持する支持部５とを有して構成される。そして、前記送風部４には、図示しない電動送風機が収容されると共に、この電動送風機が発生させた風を外部に送るための送風口６が設けられる。また、前記支持部５は、前記送風部４の中心軸線Ｘの一端側である上部と他端側である下部を回動可能に支持する。
【００１６】
前記支持部５は、前記送風部４の上部に設けられた頭部７と、前記送風部４の下部に設けられた底部８と、前記送風部４の背面に設けられ、前記頭部７と前記底部８とを連結する柱状部９を有する。なお、図には表れないが、前記柱状部９は、左右一対設けられる。また、前記底部８の内部には、図示しない首振り機構が設けられる。そして、この首振り機構によって、前記送風部４は前記支持部５に対し軸線Ｘを中心に揺動可能とされる。
【００１７】
前記支持部５には、図４に示すように、前記扇風機１を横置きにした際に、床等の設置面Ｆと当接する設置部１０が設けられる。この設置部１０は、前記頭部７に設けられた第一設置部１１と、前記底部８に設けられた第二設置部１２とを有する。なお、前記第一設置部１１には、クッション材１３が設けられる。また、前記第一設置部１１と同様に、前記第二設置部１２にも、クッション材１３が設けられる。
【００１８】
前記台座部３には、前記扇風機１を横置きにした際に前記設置面Ｆと当接する切欠部１４が設けられる。前記台座部３はおよそ円盤状だが、前記切欠部１４が円弧を切り欠いて平坦に形成されるため、平面視で略Ｄ字状に形成される。なお、前記台座部３の直径は、前記本体２の送風部４の直径よりも大きく形成される。また、前記台座部３は、前記支持部５に対して着脱可能に設けられる。具体的には、図３（ｂ）に示すように、前記台座部３の底部に、一対の係合片３ａが設けられる。前記台座部３は、この係合片３ａが、前記支持部５の底部８の図示しない係合受部に係合することで、前記支持部５に対して着脱可能に構成される。
【００１９】
前記扇風機１の中心軸線Ｘから前記頭部７の第一設置部１１が当接する前記設置面Ｆまでの距離Ｌ１と、中心軸線Ｘから前記底部８の第二設置部１２が当接する前記設置面Ｆまでの距離Ｌ２は、等しく構成される（Ｌ１＝Ｌ２）。従って、前記扇風機１を横置きにした際に、前記第一設置部１１及び第二設置部１２が前記設置面Ｆに当接することで、前記本体２が前記設置面Ｆに対し平行に載置される。一方、前記中心軸線Ｘから前記台座部３の切欠部１４までの距離Ｌ３は、Ｌ１及びＬ２と同じか、又は僅かに短い。従って、本実施形態では、前記切欠部１４は、前記扇風機１を横置きした際に、この扇風機１を支持しない。
【００２０】
前記頭部７の上面には、前記扇風機１を操作するための操作部１５が設けられると共に、前記頭部７の内部には、前記操作部１５の操作を受けて、図示しない電動送風機の動作を制御する図示しない制御基板が設けられる。また、前記頭部７の上面の後方には、リモコン１６を設置するための設置部として、凹状の開口部１７が設けられる。この開口部１７の右側には、前記リモコン１６を挿入するための挿入口１８が設けられる。従って、前記リモコン１６は、前記開口部１７に対して、前記挿入口１８の方向から挿入することで収納される。
【００２１】
次に、本実施形態の作用について説明する。まず、扇風機１を縦置きする場合、前記扇風機１は、前記台座部３が下となる姿勢で、前記設置面Ｆに設置される。このとき、前記台座部３の底面積が、前記本体２の底部８の底面積よりも大きく形成されるため、前記扇風機１を直立姿勢で安定して設置することができる。なお、前記台座部３に切欠部１４を設けることで、前記軸線Ｘから切欠部１４までの距離Ｌ３を部分的に小さくすることができる（即ち、前記軸線Ｘから前記切欠部１４以外の外周部分までの距離Ｌ３´を大きくすることができる）ので、前記台座部３の底面積をより大きくすることができる。従って、前記扇風機１を縦置きした際に、安定させることができる。そして、この扇風機１を縦置きで使用する場合には、図示しないプラグを、同じく図示しないコンセントに差し込み、前記操作部１５、又は前記リモコン１６を操作することで、図示しない電動機の回転軸に設けられたファンが回転し、送風口６から風が送り出される。
【００２２】
次に、前記扇風機１を横置きにする場合、前記扇風機１は、この扇風機１の背面が下となる姿勢で、前記設置面Ｆに設置される。即ち、前記頭部７に設けられた前記第一設置部１１と、前記底部８に設けられた前記第二設置部１２が、前記設置面Ｆに当接することで、前記扇風機１が横置き姿勢で支持される。そして、前記台座部３に、円弧を切り欠いて前記切欠部１４が形成されることで、前記台座部３を前記支持部５に装着した状態でも、前記切欠部１４が前記設置面Ｆと当接又は近接対向するため、前記台座部３が邪魔になることなく、前記扇風機１を横置き姿勢に設置することができる。
【００２３】
また、前述したように、距離Ｌ１及びＬ２が等しいため、前記扇風機１を横置きにした場合、前記本体２の中心軸線Ｘが、前記設置面Ｆと平行な状態となる。即ち、前記設置面Ｆが水平であれば、前記扇風機１の本体２の送風部４も水平となる。更に、前記扇風機１の本体２が、前記第一設置部１１と第二設置部１２とで構成される前記設置部１０で支持されるので、前記本体２と台座３との結合状態によらず、前記本体２を前記設置面Ｆに対し安定して平行に保つことができる。即ち、前記扇風機１を横置きしたとしても、前記本体２と台座３の結合部において、折れ曲がるようなことがない。
【００２４】
また、前記扇風機１は、前記第一設置部１１及び第二設置部１２によって支持されるため、仮に前記台座部３が前記支持部５から取り外されたとしても、前記本体２の水平姿勢を維持可能である。従って、前記台座部３を支持部５に対し着脱する場合、前記扇風機１が水平姿勢に支持された状態で前記台座部３の着脱作業が行えるため、前記台座部３を前記支持部５に対し容易に着脱することができる。
【００２５】
また、前記頭部７の上面の後方には、凹状の前記開口部１７が設けられ、この開口部１７の右側に、前記リモコン１６を挿入するための挿入口１８が設けられる。従って、前記扇風機１を横置きにした場合でも、前記挿入口１８が前記設置面Ｆによって塞がれることなく、前記リモコン１６を前記開口部１７に対し容易に着脱することができる。
【００２６】
次に、本発明の第二の実施形態について、図５乃至図７に基づいて説明する。なお、上述した第一の実施形態と共通する部分については、同一の符号を付し、その説明を省略する。２１は本発明のタワー型の扇風機である。この扇風機２１は、本体２２と、この本体２２を支持する台座部２３とで構成される。前記本体２２は、円筒状の送風部４と、この送風部４を中心軸線Ｘ回りに揺動可能に支持する支持部２５とを有して構成される。そして、この支持部２５は、前記送風部４の中心軸線Ｘの一端側である上部と他端側である下部を回動可能に支持する。
【００２７】
前記支持部２５は、前記送風部４の上部に設けられた頭部２７と、前記送風部４の下部に設けられた底部２８と、前記送風部４の背面に設けられ、前記頭部２７と前記底部２８とを連結する柱状部９を有する。また、前記底部２８の内部には、図示しない首振り機構が設けられる。そして、この首振り機構によって、前記送風部４は前記支持部２５に対し軸線Ｘを中心に揺動可能とされる。
【００２８】
前記支持部２５の頭部２７には、図７に示すように、前記扇風機２１を横置きにした際に、床等の設置面Ｆと当接する支持部側設置部３０が設けられる。なお、前記支持部側設置部３０には、クッション材１３が設けられる。一方、前記台座部２３には、前記扇風機２１を横置きにした際に前記設置面Ｆと当接する台座部側設置部３４が設けられる。前記台座部２３はおよそ円盤状だが、前記台座部側設置部３４が円弧を切り欠いて平坦に形成されるため、平面視で略Ｄ字状に形成される。なお、前記台座部２３の直径は、前記本体２２の送風部４の直径よりも大きく形成される。また、前記台座部２３は、前記支持部２５に対して固着される。
【００２９】
前記扇風機２１の中心軸線Ｘから前記頭部２７の本体側設置部３０が当接する前記設置面Ｆまでの距離Ｌ４と、中心軸線Ｘから前記台座部側設置部３４が当接する前記設置面Ｆまでの距離Ｌ５は、等しく構成される（Ｌ４＝Ｌ５）。従って、前記扇風機２１を横置きにした際に、前記本体側設置部３０及び台座部側設置部３４が前記設置面Ｆに当接することで、前記本体２２が前記設置面Ｆに対し平行に載置される。
【００３０】
前記頭部２７の上面には、前記扇風機２１を操作するための操作部１５が設けられると共に、前記頭部２７の内部には、前記操作部１５の操作を受けて、図示しない電動送風機の動作を制御する図示しない制御基板が設けられる。また、前記頭部２７の上面の後方には、リモコン１６を設置するための設置部として、凹状の開口部１７が設けられる。
【００３１】
次に、本実施形態の作用について説明する。まず、扇風機２１を縦置きにする場合、前記扇風機２１は、前記台座部２３が下となる姿勢で、前記設置面Ｆに設置される。このとき、前記台座部２３の底面積が、前記本体２２の底部２８の底面積よりも大きく形成されるため、前記扇風機２１を直立姿勢で安定して設置することができる。なお、前記台座部２３に切欠状の台座部側設置部３４を設けることで、前記軸線Ｘから台座部側設置部３４までの距離Ｌ５を部分的に小さくすることができる（即ち、前記軸線Ｘから前記台座部側設置部３４以外の外周部分までの距離Ｌ５´を大きくすることができる）ので、前記台座部２３の底面積をより大きくすることができる。従って、前記扇風機２１を縦置きした際に、安定させることができる。そして、この扇風機２１を縦置きで使用する場合には、図示しないプラグを、同じく図示しないコンセントに差し込み、前記操作部１５、又は前記リモコン１６を操作することで、図示しない電動機の回転軸に設けられたファンが回転し、送風口６から風が送り出される。
【００３２】
次に、前記扇風機２１を横置きにする場合、前記扇風機２１は、この扇風機２１の背面が下となる姿勢で、前記設置面Ｆに設置される。即ち、前記頭部２７に設けられた前記本体側設置部３０と、前記台座部２３に設けられた台座部側設置部３４が、前記設置面Ｆに当接することで、前記扇風機２１が横置き姿勢で支持される。また、前述したように、距離Ｌ４及びＬ５が等しいため、前記扇風機２１を横置きにした場合、前記本体２２の中心軸線Ｘが、前記設置面Ｆと平行な状態となる。即ち、前記設置面Ｆが水平であれば、前記扇風機２１の本体２２の送風部４も水平となる。
【００３３】
なお、本発明は以上の実施形態に限定されるものではなく、発明の要旨の範囲内で種々の変形実施が可能である。例えば、前記台座部は、略Ｄ字状に形成されるものに限らず、図８(ａ)に示すように、円盤状の台座部４３から角形に突出するように台座部側設置部４４を設けても良い。また、図８(ｂ)に示すように、円盤状の台座部５３から一対の小突起を設けて、台座部側設置部５４としても良い。更に、上述した実施形態では、台座部の基本形状を円盤状に形成したが、正方形状や長方形状、多角形状に形成してもかまわない。即ち、台座部に形成された切欠部とは、およそ円盤状の台座部を略Ｄ字状にするものに限られない。例えば、図９(ａ)に示すように、正方形状の台座部を切り欠いて、長方形状にし、この長辺を切欠き部として横置時に下端となる位置にしても、台座部が邪魔にならず、台座部の面積を大きくすることができる。また、図９(ｂ)に示すように、円盤状の台座部の円弧を切り欠いて、多角形状に形成しても、長方形にしたときと同様の効果が得られる。更に、これらの切欠き部を台座部側設置部として用いて、本体側設置部と台座側設置部によって、扇風機を横置きにすることも可能である。
【符号の説明】
【００３４】
１，２１  扇風機
２，２２  本体
３，２３，４３，５３  台座部
４  送風部
５，２５  支持部
１０  設置部
１１  第一設置部
１２  第二設置部
１４  切欠部
３０  本体側設置部
３４，４４，５４  台座部側設置部
Ｆ  設置面
Ｌ１，Ｌ２，Ｌ３  距離
Ｘ  軸線
【図１】
2014211115.tif 000003
【図２】
2014211115.tif 000004
【図３】
2014211115.tif 000005
【図４】
2014211115.tif 000006
【図５】
2014211115.tif 000007
【図６】
2014211115.tif 000008
【図７】
2014211115.tif 000009
【図８】
2014211115.tif 000010
【図９】
2014211115.tif 000011